(57)【要約】【課題】投影した画像の色再現性および視認性が良く、投写を行わない間は光の透過率が高く外部からの視認を妨げないうえ、常時電力を供給している必要のない、低消費エネルギー投映用スクリーンを提供すること【解決手段】画像や映像を拡大して投写する機能をもった映写機の映像を投影するスクリーンであって、該スクリーンが、基板上の少なくとも一方に電極層が形成された２枚の透光性を有する基板と該基板にはさまれた状態で形成された、エレクトロクロミック層および電解質層から構成されており、該エレクトロクロミック層に電圧を印加し、前記エレクトロクロミック層が可視光領域においてほぼ均一な反射率を有する状態とすることで、画像や映像を拡大して投写する機能をもった映写機の映像を投影するスクリーンとすることとした【選択図】    図１
2004252265.tif 000002
【特許請求の範囲】
【請求項１】
電極層が形成された２枚の基板間に、エレクトロクロミック層と電解質層を備えるとともに、前記エレクトロクロミック層が電圧印加時に可視光領域においてほぼ均一な反射率を有する材料であることを特徴とするスクリーン。
【請求項２】
前記エレクトロクロミック層が、酸化ニッケルであることを特徴とする請求項１に記載のスクリーン。
【請求項３】
前記エレクトロクロミック層が、ニッケルマグネシウム合金であることを特徴とする請求項１に記載のスクリーン。
【請求項４】
前記エレクトロクロミック層が、スリット状に形成されていることを特徴とする請求項１〜３のいずれか一項に記載のスクリーン。
【請求項５】
前記エレクトロクロミック層が、ドット状に形成されていることを特徴とする請求項１〜３のいずれか一項に記載のスクリーン。
【請求項６】
前記基板の少なくとも一方が可視光領域での透過率の高い材料で形成されたことを特徴とする請求項１〜５のいずれか一項に記載のスクリーン。
【請求項７】
前記透過率の高い材料が、ガラス、もしくは、アクリル系樹脂、スチレン系樹脂、ポリカーボネート系樹脂、ポリメチルペンテン系樹脂、メチルメタクリレート／スチレン共重合樹脂などの透光性を有する材料であることを特徴とする請求項６に記載のスクリーン。
【発明の詳細な説明】
【０００１】
【発明の属する技術分野】
本発明は、プロジェクターなど画像や映像を拡大して投写する機能をもった映写機の映像を投影するスクリーンに関する。
【０００２】
【従来の技術】
従来、ガラス等の透明な場所に映写機の映像を投影する場合、投影したいガラス面にフィルムを貼りつけ、その貼りつけたフィルム面に映像を投影する方法（例えば、特許文献１参照）、あるいは、投影したいガラス面に金属などを蒸着して可視光透過率を下げ、その部分に映像を投影する方法、あるいは内部に液晶層を設けた構造のガラスを用い、液晶層に電界をかけて液晶の配列を変えることで、例えば白濁させて、その白濁した部分に映像を投影する方法（例えば、特許文献２参照）、あるいは内部に酸化タングステン（ＷＯ３）からなるエレクトロクロミック層を設け、エレクトロクロミック層に電圧を印加する事でエレクトロクロミック層が着色し、ガラスの光透過率を下げる事でその部分に映像を投影する方法がある。
【０００３】
【特許文献１】
特開２００１−２４２５４６号公報（第２−３頁）
【０００４】
【特許文献２】
特開２０００−３４７２２２号公報（第２−４頁）
【０００５】
【発明が解決しようとする課題】
ところが、フィルムを貼りつける方法においては、光透過率の高いタイプのフィルムを用いた場合には、直射日光の当たる場所などでは投写した映像がほとんど見えない場合があった。また、光透過率の低いタイプのフィルムを用いた場合には、投影した映像の視認性は向上するが、投写を行わない間はフィルムを貼りつけた部分だけ低い光透過率となり、例えば店舗などにおいては外部あるいは内部からの視認性を妨げてしまうという課題を有していた。また、投影したいガラス面に金属などを蒸着して可視光透過率を下げ、その部分に映像を投影する方法でも、蒸着した部分は低い光透過率となり外部あるいは内部からの視認性を妨げてしまうという課題を有していた。また、液晶層を設ける方法では、液晶の配列を変化させている間は常に電界をかけておく必要があり、投影している間もしくは投影していない間、どちらかの状態を維持する際に常に電力を必要という課題を有していた。
【０００６】
また、エレクトロクロミック層を設ける方法では、従来法としてはエレクトロクロミック層としてＷＯ３  膜を使用した物があったが、着色時ＷＯ３  膜は青色に着色するため、白色を投写しても投影像は青色になり、色再現性が極端に劣るという課題を有していた。
【０００７】
この発明は、上記のような問題点を解決するためになされたもので、投影した画像の色再現性および視認性が良く、投写を行わない間は光の透過率が高く外部からの視認を妨げないうえ、常時電力を供給している必要のない、低消費エネルギー投映用スクリーンを提供することを目的とする。
【０００８】
【課題を解決するための手段】
上記課題を解決するため、本発明のスクリーンは、画像や映像を拡大して投写する機能をもった映写機の映像を投影するスクリーンであって、電極層が形成された２枚の基板間にエレクトロクロミック層と電解質層が設けられ、エレクトロクロミック層に電圧を印加して可視光領域においてほぼ均一な反射率を有する状態とすることで、映像が投影できるスクリーンとした。
【０００９】
さらに、基板を透明なガラス、あるいは透明な樹脂で形成した。具体的にはアクリル系樹脂、スチレン系樹脂、ポリカーボネート系樹脂、ポリメチルペンテン系樹脂、メチルメタクリレート／スチレン共重合樹脂などの透光性を持った樹脂があげられる。さらに、エレクトロクロミック層をスリット状、または、ドット状に形成した。また、エレクトロクロミック層を、酸化ニッケル、または、ニッケルマグネシウム合金で形成した。
【００１０】
【発明の実施の形態】
以下、本発明の実施の形態について、図１〜図３の図面を参照しながら説明する。尚、本発明はこの実施の形態に限定されるものではない。
【００１１】
図１は本発明によるエレクトロクロミック材料を利用したスクリーン（以下、エレクトロクロミックスクリーン）の一実施例の構成を示す模式的部分断面図である。図示するように、エレクトロクロミックスクリーン１は、電極層３が形成された第一の基板２Ａと第二の基板２Ｂとの間に、エレクトロクロミック層４および電解質層５が設けられている。
【００１２】
ここで、エレクトロクロミック層４と電解質層５、第二の基板２Ｂと電解質層５は必ずしも接合一体化しておく必要はない。例えば、第一の基板２Ａとエレクトロクロミック層４を接合一体化したものに固体の電解質層５を重ね合わせて積層したり、電極層３とエレクトロクロミック層４が形成された第一の基板２Ａと第二の基板２Ｂを対向させてできた間隙に、液状またはゲル状の電解質層５を充填したりすることで形成しても良い。また、第一の基板２Ａおよび第二の基板２Ｂは透光性を有しており、例えば、ガラス、もしくはアクリル系樹脂、スチレン系樹脂、ポリカーボネート系樹脂、ポリメチルペンテン系樹脂、メチルメタクリレート／スチレン共重合樹脂などの透光性を有する材料を使用できる。
【００１３】
電極層３としては、透明導電性皮膜、例えばインジウム−錫酸化物（ＩＴＯ）や、フッ素−錫酸化物（ＦＴＯ）、酸化亜鉛、酸化錫、透明導電性高分子などが使用できる。エレクトロクロミック層４としては、酸化ニッケルやニッケルマグネシウム合金など、可視光領域でほぼ均一な反射率を有する材料が使用できる。電解質層５としては、固体、液体、あるいはゲル状の高分子電解質例えばＮａｆｉｏｎ（商標）が使用できる。
【００１４】
図２は、エレクトロクロミック層をスリット状に形成したエレクトロクロミックスクリーン１の部分模式図である。図２において、エレクトロクロミック層４は電極層３が形成された透光性を有する第一の基板２Ａの、電極層３の上にエレクトロクロミック層４が形成されている部分と形成されていない部分である間隙が交互に連続的に出現するような構成、つまりスリット状に形成されている。各エレクトロクロミック層の間隙を１ｍｍ以下とすることが好ましい。この値が１ｍｍより大きいとスクリーンの解像度が低下する傾向にある。このスリット状のエレクトロクロミック層４をスクリーン正面の観察者から見て上下方向に縦縞状になるように形成したスクリーンには左右方向への光拡散性が高く、上下方向への光拡散性が低いという特性がある。これにより、スクリーンを左右斜めの方向からも投影像の視認性が良好となる。本実施例では、一例としてエレクトロクロミック層４の形状をライン状にエレクトロクロミック層４が形成されている部分と形成されていない間隙の部分が平行状態になるよう形成したものを示しているが、例えばこのエレクトロクロミック層４の形状は、得たい効果によって波型や矩形などとしても良い。
【００１５】
図３は、エレクトロクロミック層をドット状に形成したエレクトロクロミックスクリーン１の部分模式図である。図３において、エレクトロクロミック層４は電極層３が形成された透光性を有する第一の基板２Ａの、電極層３の上にドット状に形成されている。ドットは円形で、直径は１ｍｍ以下とし、個々のドットの大きさは大小さまざまあることとする。ドットの大きさを大小さまざまとすることで、スクリーン表面で光が散乱され、本実施例では一例として円形のドットとしたが、三角形や四角形、不定形など、その形状は特に規定する物ではないが円形であることが好ましい。
【００１６】
【発明の効果】
本発明によれば、投影した映像の色再現性および視認性が良く、投写を行わない間は光の透過率が高く外部からの視認を妨げないうえ、常時電力を供給している必要のない、低消費エネルギー投映用スクリーンとなるエレクトロクロミック素子が提供できる。さらに、例えば店舗などに用いられているガラスウインドウをスクリーンに置きかえられることにより、映像を投影することで広告媒体として情報発信などを行えるうえ、投影していない間は外部からも内部からも視認性の高い透明なガラスウインドウが提供できる。また、基板となる樹脂を薄くすることで軽量かつフレキシブルなスクリーンの提供が可能となる。さらに、スリット、ドットのパターンを変えることで例えば上下、左右の視認性を向上することが可能となること、また、映像を投影している間においても、エレクトロクロミックスクリーンを通して内部から外部を、また外部から内部を見ることも可能となる。エレクトロクロミック層を酸化ニッケル、ニッケルマグネシウム合金で形成することによって、エレクトロクロミック層が可視光領域においてほぼ均一な反射率を有することとなり、投影した映像の色再現性および視認性が良いスクリーンが提供できる。
【図面の簡単な説明】
【図１】本発明のエレクトロクロミック素子を利用したスクリーンの構成を模式的に示す部分断面図
【図２】スリット状のエレクトロクロミック層を有するエレクトロクロミックスクリーンの部分模式図
【図３】ドット状に形成されたエレクトロクロミック層を有するエレクトロクロミックスクリーンの部分模式図
【符号の説明】
１    エレクトロクロミックスクリーン
２Ａ  第一の基板
２Ｂ  第二の基板
３    電極層
４    エレクトロクロミック層
５    電解質層
【図１】
2004252265.tif 000003
【図２】
2004252265.tif 000004
【図３】
2004252265.tif 000005